(57)【特許請求の範囲】
【請求項１】
興行情報が記載された本券と、
該本券の一端側の端部に第１の切取線を介して分離可能に連設され、興行開始前所定時間内に来場した者に特典を付与する特典券と、
該特典券の、該本券に連設される側と反対側の端部に、第２の切取線を介して分離可能に連設される来場者を入場可能にする入場券とを備え、
観覧者が興行場に来場した際、興行主催者が該第１の切取線又は該第２の切取線で選択的に切り取ることができること
を特徴とする入場チケット。
【請求項２】
該特典券が複数のものからなり、第３の切取線を介して相互に分離可能に連設されることを特徴とする請求項１に記載の入場チケット。
【発明の詳細な説明】
【技術分野】
【０００１】
本発明は、スポーツ、コンサート等の興行における入場チケットに関する。
【背景技術】
【０００２】
従来、スポーツ、コンサート等の興行（以下、「興行」という。）では、本券に１又は複数の半券がついた入場チケットが用いられている。この入場チケットは、連日行われる各興行開催日の入場券（入場引換券）が、入場チケット本券に切り取り可能に連設されている（非特許文献１参照）。
【先行技術文献】
【非特許文献】
【０００３】
【非特許文献１】”インディジャパン３００マイル入場引換券”、[online]、〔平成２５年１０月２４日検索〕、インターネット＜URL: http://blog.wanwancamp.jp/wp-content/uploads/2009/09/IMG_3686.jpg＞
【発明の概要】
【発明が解決しようとする課題】
【０００４】
しかし、非特許文献１に記載の入場チケットでは、興行主催者の意図する時間帯に観覧者（客）の興行場（競技場やコンサート会場等。以下同じ。）への来場を促すことができない。
【０００５】
具体的には、興行におけるビジネスチャンスは興行開始前（例えば、スポーツ興行なら試合開始前、コンサートであれば開演前）にある。すなわち、興行開始前には、各スポンサーの取り扱う商品等に関する宣伝広告や実演又はイベント等（以下、「商品等イベント」という。）が行われるが、観覧者（客）の関心は、興行自体（例えば、スポーツ興行なら試合そのもの、コンサートであれば歌手等の歌唱等）にある。このため、観覧者（客）は、興行開始までに興行場へ来場すればよいと考えるのが通常であり、一般的に興行開始前に各スポンサーが行う商品等イベントを観覧する者は少ない。
【０００６】
しかし、これでは、各スポンサーは、興行主催者に支払った広告費等に見合った効果（商品等の売上等）を期待することができず、また、興行主催者は、各スポンサーに最適な営業機会を提供することができないことから、興行主催者が各スポンサーから得られる広告費等は減少する。
【０００７】
そこで、興行開始前、すなわち、各スポンサーが行う商品等イベントが開催されている時間帯に観覧者（客）の興行場への来場を促すための入場チケットが待望されている。
【０００８】
しかし、非特許文献１に記載の入場チケットは、あくまで来場者の入場を可能にする入場券としての役割のみを有するものであって、興行主催者の意図する時間帯に観覧者（客）の興行場への来場を促すような何らかの特典が付与されているものではない（観覧者（客）が来場した際、当該入場チケットは興行主催者のスタッフにより半券が切り取られ、その役割を終える）。
【０００９】
このため、非特許文献１に記載の入場チケットでは、興行開始前、すなわち、各スポンサーが行う商品等イベントが開催されている時間帯に観覧者（客）の興行場への来場を促すことができない。
【００１０】
そこで、本発明に係る入場チケットは、上記点に鑑みてなされたものであり、観覧者（客）を興行開始前、すなわち、各スポンサーが行う商品等イベントが開催されている時間帯に興行場へ来場させることを目的としてなされたものである。
【課題を解決するための手段】
【００１１】
請求項１の発明に係る入場チケットは、興行情報が記載された本券と、該本券の一端側の端部に第１の切取線を介して分離可能に連設され、興行開始前所定時間内に来場した者に特典を付与する特典券と、該特典券の、該本券に連設される側と反対側の端部に、第２の切取線を介して分離可能に連設される来場者を入場可能にする入場券とを備え、観覧者が興行場に来場した際、興行主催者が該第１の切取線又は該第２の切取線で選択的に切り取ることができることを特徴とする。
【００１２】
また、請求項２の発明に係る入場チケットは、請求項１の発明に係る入場チケットにおいて、該特典券が複数のものからなり、第３の切取線を介して相互に分離可能に連設されることを特徴としている。
【発明の効果】
【００１３】
請求項１に記載の発明では、該特典券が興行開始前所定時間内に来場した者に特典を付与するものとしていることから、興行主催者は、意図する時間帯に観覧者（客）の興行場への来場を促すことができる。また、本発明では、興行情報が記載された本券と特典を付与する特典券とが第１の切取線を介して分離可能に連設されるとともに、該特典券と来場者を入場可能にする入場券とが第２の切取線を介して分離可能に連設されていることから、興行主催者は、特典券と入場券とを１つのチケットで、観覧者（客）に提供することができる（興行主催者は、特典券と入場券とを別々のチケットとして準備する必要はない）。
【００１４】
また、請求項２に記載の発明では、請求項１の発明に係る入場チケットにおいて、該特典券が複数からなるよう構成されていることから、興行主催者は、状況に応じて様々な特典を観覧者（客）に付与することができる（観覧者（客）は、興行主催者より様々な特典を受けることが可能になる）。
【図面の簡単な説明】
【００１５】
【図１】本発明の実施例１に係る入場チケットの正面図である。
【発明を実施するための形態】
【００１６】
以下、図面を用いて本発明の詳細を説明する。
【実施例１】
【００１７】
まず、図１を用いて、本発明の実施例１に係る入場チケット１００の形態について説明する。
【００１８】
図１は、本実施例に係る入場チケット１００の正面図である。本実施例に係る入場チケット１００は、本券１０と特典券２０ａ、２０ｂと入場券３０とから構成される。
【００１９】
本券１０には、興行情報が記載される。興行情報としては、例えば、興行名称（ＡチームＶＳＢチーム）、興行開催日時、興行場の名称（スタジアム名、コンサートホール名等）、興行場の住所等が挙げられる。
【００２０】
特典券２０ａは、切取線４０ａを介して本券１０と分離可能に連設される。また、特典券２０ｂは、切取線４０ｂを介して特典券２０ａと分離可能に連設される。さらに、入場券３０は、切取線４０ｃを介して特典券２０ｂと分離可能に連設される。なお、本券１０と特典券２０ａ、特典券２０ａと特典券２０ｂ、特典券２０ｂと入場券３０との間に形成される切取線４０ａ〜４０ｃは、これら各券を相互に分離可能にし易くするためにもミシン目にて形成するとよい。また、入場チケット１００は、紙又はプラスチック素材にて形成することができる。
【００２１】
次に、本実施例に係る入場チケット１００の使用方法について説明する。
【００２２】
まず、興行主催者は、観覧者（客）に特典を付与するための条件を設定する。具体的には、興行開始前に行われる各スポンサーの商品等イベントが開催されている時間帯に観覧者（客）を興行場に来場させるべく、例えば、次のような条件を設定する（次の条件は、いずれも興行開始時刻を１４時とする）。
【００２３】
（１）条件１
観覧者（客）が１２時（各スポンサーの商品等イベントの開始時刻「興行開示２時間前」）から１３時（各スポンサーの商品等イベントの終了３０分前「興行開始１時間前」）の間に興行場に来場した場合には、興行主催者は、観覧者（客）に対し２つの特典を付与する。
【００２４】
（２）条件２
観覧者（客）が１３時（各スポンサーの商品等イベントの終了３０分前「興行開始１時間前」）から１３時３０分（各スポンサーの商品等イベントの終了時刻「興行開始３０分前」）の間に興行場に来場した場合には、興行主催者は、観覧者（客）に対し１つの特典を付与する。
【００２５】
（３）条件３
観覧者（客）が１３時３０分以降（各スポンサーの商品等イベントの終了時刻以降「興行開示３０分前以降」）に興行場に来場した場合には、興行主催者は、観覧者（客）に対し特典を付与しない。
【００２６】
次に、観覧者（客）が入場チケット１００を持参し、興行場に来場した場合には、興行主催者は、観覧者（客）の来場時刻が上記条件１乃至３のいずれに該当するかを確認する。このとき、観覧者（客）の来場時刻が条件１に該当する場合には、興行主催者は観覧者（客）に対し、２つの特典を付与すべく、切取線４０ｃに沿って入場チケット１００から入場券３０のみを分離する（入場チケット１００には、特典券２０ａ及び２０ｂが残される）。
【００２７】
また、観覧者（客）の興行場への来場時刻が条件２に該当する場合には、興行主催者は観覧者（客）に対し、１つの特典を付与すべく、切取線４０ｂに沿って入場チケット１００から特典券２０ｂを分離する。このとき、入場券３０は、切取線４０ｃを介して特典券２０ｂと連設されているため、特典券２０ｂを入場チケット１００から分離すれば、結果として入場券３０も入場チケット１００から分離される（入場チケット１００には、特典券２０ａのみが残される）。
【００２８】
さらに、観覧者（客）の興行場への来場時刻が条件３に該当する場合には、興行主催者は観覧者（客）に対し、特典を付与しないことから、切取線４０ａに沿って入場チケット１００から特典券２０ａを分離する。このとき、特典券２０ｂは、切取線４０ｂを介して特典券２０ａと、入場券３０は、切取線４０ｃを介して特典券２０ｂと連設されているため、特典券２０ａを入場チケット１００から分離すれば、結果として特典券２０ｂ及び入場券３０も入場チケット１００から分離される（入場チケット１００には、特典券２０ａ及び２０ｂは残されていない）。
【００２９】
続いて、（１）条件１に該当する時間帯に興行場に来場した観覧者（客）は、入場チケット１００に残される特典券２０ａ及び２０ｂを用いて、（２）条件２に該当する時間帯に興行場に来場した観覧者（客）は、入場チケット１００に残される特典券２０ａを用いて、興行主催者より特典を受ける（例えば、１つの特典券（２０ａ又は２０ｂ）で興行場内で販売される１つの食べ物やドリンク又は興行に関するグッズ等と交換可能とする）。
【００３０】
このように、観覧者（客）は、興行開始時刻の直前又は興行開始後に興行場に来場するよりも、興行主催者が設定した時間帯（興行開始前に行われる各スポンサーの商品等イベントが開催されている時間帯）に興行場に来場すれば、興行主催者より特典を受けることができることから、本実施例に係る入場チケット１００を用いれば、興行主催者が設定した時間帯（興行開始前に行われる各スポンサーの商品等イベントが開催されている時間帯）に観覧者（客）の興行場への来場を促すことができる。
【００３１】
また、本発明を用いれば、興行主催者は、特典券と入場券とを別々のチケットとして準備する必要はなく、特典券と入場券とを１つのチケットで観覧者（客）に提供することができる。
【００３２】
なお、本実施例では、入場チケット１００に２つの特典券２０ａ、２０ｂを構成してなるが、さらに入場チケット１００に複数の特典券を構成してもよい（例えば、４つの特典券を構成する等）。これにより、興行主催者は、重要度の高いスポンサー（他のスポンサーより多くの広告費を支払っているスポンサー等）の商品等イベントが開催されている時間帯に観覧者（客）が興行場に来場すれば、より多くの特典を付与する等、柔軟に特典付与の条件を設定することができる。また、観覧者（客）としては、興行主催者より、さらに多くの特典を受けることができる。
【００３３】
また、本実施例では、特典券２０ａ、２０ｂにより付与される特典を興行場内で販売される１つの食べ物やドリンク又は興行に関するグッズ等と交換可能なものとしているが、特典券２０ａ、２０ｂに金券の役割を持たせることで、これを特典とすることもできる。例えば、特典券２０ａ、２０ｂをそれぞれ５００円の金券と設定し、（１）条件１に該当する時間帯に興行場に来場した観覧者（客）には、入場チケット１００に残される特典券２０ａ及び２０ｂを用いて、１０００円分の金券を興行場内で使用可能とし、（２）条件２に該当する時間帯に興行場に来場した観覧者（客）には、入場チケット１００に残される特典券２０ａを用いて、５００円分の金券を興行場内で使用可能とする。これにより、観覧者（客）は、興行主催者より与えられた特典（金券）を、自身の好みに合わせて自由に使用可能なことから（必ずしも特典券を興行場内で販売される１つの食べ物やドリンク又は興行に関するグッズ等と交換する必要はなく、特典券（金券）と観覧者（客）の現金とを合わせて、興行場内で販売される他の商品等を購入することもできるため）、観覧者（客）が興行主催者が設定した時間帯（興行開始前に行われる各スポンサーの商品等イベントが開催されている時間帯）に興行場へ来場する期待はより高まる。
【００３４】
さらに、本実施例では、入場チケット１００に入場券３０を構成してなるが、入場券３０を入場券と引き換え可能な入場引換券とすることも可能である。
【００３５】
このように、本実施例では、本発明の趣旨を逸脱しない範囲で種々の変更が可能であることはいうまでもない。
【符号の説明】
【００３６】
１０    本券
２０ａ  特典券
２０ｂ  特典券
３０    入場券
４０ａ  切取線（第１の切取線）
４０ｂ  切取線（第３の切取線）
４０ｃ  切取線（第２の切取線）
１００  入場チケット
【要約】      （修正有）【課題】興行主催者が設定した時間帯（興行開始前に行われる各スポンサーの商品等イベントが開催されている時間帯）に観覧者（客）の興行場への来場を促す入場チケットを提供する。【解決手段】入場チケット１００を本券１０と特典券２０ａ、２０ｂと入場券３０とから構成し、特典券２０ａを切取線４０ａを介して本券１０と分離可能に連設し、特典券２０ｂを切取線４０ｂを介して特典券２０ａと分離可能に連設するとともに、入場券３０を切取線４０ｃを介して特典券２０ｂと分離可能に連設する。【選択図】図１【図１】
0005592553.tif 000002